(57)【要約】上面に開口部を有すると共に、内部と前記開口部が仕切り壁（１１ａ）によって左右の収納室（１２）、（１３）に分離された容器（１０）と、この容器（１０）の収納室（１２）に収納された測定器（１）と、この容器（１０）の収納室（１３）に収納された測定器（１）保持用の保持器とを備えている。収納室（１２）を構成する外周壁またはこの収納室（１２）内に、測定器（１）を、この測定器（１）のセンサ装着部（４）を収納室（１２）外に表出させた状態で保持する保持手段を構成する凹部（１５，１６）設ける。
2012120829.tif 000002
【特許請求の範囲】
【請求項１】
上面に開口部を有すると共に、内部と前記開口部が仕切り壁によって左右の第１、第２の収納室に分離された容器と、この容器の前記第１の収納室に収納された生体試料測定器と、この容器の前記第２の収納室に収納された前記生体試料測定器保持用の保持器とを備え、
前記第１の収納室を構成する外周壁、または、この第１の収納室内に、前記生体試料測定器を、この生体試料測定器のセンサ装着部を第１の収納室外に表出させた状態で保持する保持手段を設けた生体試料測定装置。
【請求項２】
前記保持手段は、前記仕切り壁の上面に設けた前記生体試料測定器を保持する第１の凹部と、この第１の凹部に対向する前記容器の外周壁上面に設けた前記生体試料測定器を保持する第２の凹部とにより構成した請求項１に記載の生体試料測定装置。
【請求項３】
前記第２の凹部は、前記第１の収納室の外周壁上面に形成した請求項２に記載の生体試料測定装置。
【請求項４】
前記第２の凹部の長さは、前記第１の凹部の長さよりも短くした請求項３に記載の生体試料測定装置。
【請求項５】
前記生体試料測定器は、ほぼ直方体形状とし、その一端側を生体試料の測定側とし、他端側を情報読み取り側とし、前記一端側における長手方向に直交する幅を、前記他端側における長手方向に直交する幅よりも小さくした請求項４に記載の生体試料測定装置。
【請求項６】
前記生体試料測定器の前記一端側には、生体試料検出センサの前記センサ装着部を設けた請求項５に記載の生体試料測定装置。
【請求項７】
前記生体試料測定器の前記他端側には、光学式情報読み取り部を設けた請求項６に記載の生体試料測定装置。
【請求項８】
前記第１の収納室の底部と、前記第２の収納室の底部を同一面とした請求項１に記載の生体試料測定装置。
【請求項９】
前記保持手段は、前記容器の第１の収納室に、前記生体試料測定器を傾斜状態または立設状態で保持する構成とした請求項１に記載の生体試料測定装置。
【請求項１０】
前記第１の収納室は、上面が開口した容器状とし、その底部には、下方に突出する凹部を形成した請求項９に記載の生体試料測定装置。
【請求項１１】
前記凹部の側面は、その下辺よりも上辺が外方側となる傾斜形状とした請求項１０に記載の生体試料測定装置。
【請求項１２】
前記第２の収納室は、上面が開口した容器状とし、その底部は平面状とした請求項９に記載の生体試料測定装置。
【請求項１３】
前記第２の収納室の底部と前記第１の収納室の凹部の底部をほぼ同一面とした請求項１０に記載の生体試料測定装置。
【請求項１４】
前記第１の収納室の底部には、この第１の収納室の底部から下方に向かって突出させた回転軸部を設けた請求項１に記載の生体試料測定装置。
【請求項１５】
前記回転軸部は、弾性体で形成し、この回転軸部を、前記第１の収納室の底部外表面に接着した請求項１４に記載の生体試料測定装置。
【請求項１６】
前記第２の収納室の底部には、下方に向かって突出させた第１、第２の支持部を設けた請求項１５に記載の生体試料測定装置。
【請求項１７】
前記回転軸部と、前記第１、第２の支持部の突出高さを、ほぼ同じ高さとした請求項１６に記載の生体試料測定装置。
【請求項１８】
前記回転軸部と、前記第１、第２の支持部の色を異ならせた、請求項１７に記載の生体試料測定装置。
【請求項１９】
前記回転軸部を黒色系状態とし、前記第１、第２の支持部は透明または半透明状態とした請求項１８に記載の生体試料測定装置。
【発明の詳細な説明】
【技術分野】
【０００１】
本発明は、たとえば、血液中から血糖値などの生体情報を測定する生体試料測定装置に関するものである。
【背景技術】
【０００２】
従来のこの種、生体試料測定装置の構成は、生体試料測定器と、この生体試料測定器を保持する保持器とを備えた構成となっていた。【０００３】
すなわち、生体試料測定器を使用しないときには、この生体試料測定器を保持器に保持させ、充電などを行わせる構成となっていた（例えば、特許文献１参照）。【０００４】
前記従来例において、生体試料測定器と保持器は、生産工場において、それぞれ別々の梱包材で梱包され、その状態で搬送先（たとえば病院、個人宅）に搬送されるようになっていた。そして、搬送先では、その梱包材を外し、それをゴミとして排出するようになっていた。【０００５】
つまり、これらの梱包材は、搬送物なのであるが、搬送後は不必要なものとして排出されるようになっており、利便性の低い物であった。【０００６】
そこで本発明は、生体試料測定器と保持器の搬送物を活用することで、利便性を高めることを目的とするものである。
【先行技術文献】
【特許文献】
【０００７】
【特許文献１】特開２０１０−１３６５９４号公報
【発明の概要】
【０００８】
そして、この目的を達成するために本発明は、上面に開口部を有すると共に、内部と開口部が仕切り壁によって左右の第１、第２の収納室に分離された容器と、この容器の第１の収納室に収納された生体試料測定器と、この容器の第２の収納室に収納された生体試料測定器保持用の保持器とを備えている。さらに、第１の収納室を構成する外周壁またはこの第１の収納室内に、生体試料測定器を、この生体試料測定器のセンサ装着部を第１の収納室外に表出させた状態で保持する保持手段を設ける。また、第１の収納室の底部には、この第１の収納室の底部から下方に向かって突出させた回転軸部を設けた構成とし、これにより所期の目的を達成するものである。
【図面の簡単な説明】
【０００９】
【図１】図１は本発明の実施の形態１に係る生体試料測定装置を構成する生体試料測定器および保持器の斜視図である。
【図２】図２は本発明の実施の形態１に係る生体試料測定装置を構成する生体試料測定器の使用時の斜視図である。
【図３】図３は本発明の実施の形態１に係る生体試料測定装置を構成する容器の上方からの斜視図である。
【図４】図４は本発明の実施の形態１に係る生体試料測定装置を構成する生体試料測定器の制御ブロック図である。
【図５】図５は本発明の実施の形態１に係る生体試料測定装置の搬送時の斜視図である。
【図６】図６は本発明の実施の形態１に係る生体試料測定装置を構成する容器と生体試料測定器の使用時の斜視図である。
【図７】図７は本発明の実施の形態１に係る生体試料測定装置を構成する容器と生体試料測定器の使用時の斜視図である。
【図８】図８は本発明の実施の形態２に係る生体試料測定装置を構成する生体試料測定器および保持器の斜視図である。
【図９】図９は本発明の実施の形態２に係る生体試料測定装置を構成する生体試料測定器の使用時の斜視図である。
【図１０】図１０は本発明の実施の形態２に係る生体試料測定装置を構成する容器の上方からの斜視図である。
【図１１】図１１は本発明の実施の形態２に係る生体試料測定装置の搬送時の斜視図である。
【図１２】図１２は本発明の実施の形態２に係る生体試料測定装置を構成する容器の下方からの斜視図である。
【図１３】図１３は本発明の実施の形態２に係る生体試料測定装置を構成する容器と生体試料測定器の使用時の斜視図である。
【図１４】図１４は本発明の実施の形態３に係る生体試料測定装置を構成する容器の下面から見た斜視図である。
【図１５】図１５は本発明の実施の形態３に係る生体試料測定装置を構成する容器と生体試料測定器の使用時の斜視図である。
【発明を実施するための形態】
【００１０】
以下本発明の一実施形態について添付図面を用いて説明する。
【００１１】
（実施の形態１）
図１に示すごとく、たとえば病院などで使用される血糖値の測定器１（生体試料測定器の一例）は、ほぼ直方体形状に形成している。また、測定器１の長手方向の一端側の側面には、図２に示すごとく、血糖値センサ（生体試料検出センサの一例）２の接続端子３を挿入するセンサ装着部４を設け、この一端側を生体試料の測定側としている。
【００１２】
これに対して、測定器１の他端側には、測定者や患者のＩＤ情報を読み取るレーザー式のスキャナ部（光学式情報読み取り部の一例）５を設け、この他端側を情報読み取り側としている。
【００１３】
また、測定器１の長手方向の中央部から一端側にかけて、測定器１の幅を徐々に小さくしており、これにより、一端側における長手方向に直交する幅は、他端側における長手方向に直交する幅よりも小さくなっている。
【００１４】
なお測定器１の上面には、表示部６、スキャナ部５を駆動するスキャナボタン７、および電源ボタン８が設けられている。
【００１５】
この測定器１を使用しない時には、図１に示すごとく、測定器１を保持器９の保持部９ａに保持させる構成となっている。この保持部９ａは、図１に示すように、先端から後端に向けて、下方に傾斜させており、その傾斜下端側には、保持部９ａの傾斜に従って下降した測定器１を受け止めるストッパ９ｂが設けられている。なお、保持器９は、測定器１の充電器として活用することもできる。
【００１６】
図３は、測定器１と保持器９を格納する容器１０を示す図で、この容器１０は、上面に開口部を有し、その内部と前記開口部が仕切り壁１１ａによって左右の収納室１２（第１の収納室）、収納室１３（第２の収納室）とに分離されている。これら収納室１２、収納室１３は、上面が長方形状に開口した直方体形状としており、収納室１２の中央底部には、下方に向けて突出させた直方体形状の凹部１４をさらに形成している。これら凹部１４の底部と収納室１３の底部は平面状とし、かつ、ほぼ同一面上に形成している。
【００１７】
さらに、本実施の形態の収納室１２には、その側壁である仕切り壁１１ａの上面中央部に、測定器１を保持するための保持手段を構成する第１の凹部である凹部１５を形成すると共に、この凹部１５に対向する収納室１２の側壁（つまり、容器１０の外周壁）の上面中央部に、測定器１を保持するための保持手段を構成する第２の凹部である凹部１６を形成している。これら凹部１５、凹部１６は、容器１０から測定器１を取り出すときに使用するとともに、測定器１の測定時、つまり測定器１の実使用時においても使用するが、その詳細については後述する。
【００１８】
さらにまた、本実施の形態においては、容器１０を、弾性のある樹脂（たとえばポリプロピレン）で形成している。さらに、図３に示すごとく、容器１０の上面では、その全周に渡って、端部を下方に向けて折り曲げた折曲部１７を設けており、容器１０の外周強度を高めている。このため、折曲部１７を持って容器１０を持ち運ぶことができる。
【００１９】
図４は、測定器１の制御ブロック図を示し、センサ装着部４が接続された測定部１８は制御部１９に接続されている。この制御部１９には、測定部１８で測定された血糖値の表示を行う表示部６や、スキャナ部５、スキャナボタン７、電源ボタン８、電源２０が接続されている。
【００２０】
すなわち、血糖値の測定においては、まず、使用者が電源ボタン８を押すと、電源２０により制御部１９、スキャナ部５に電力が供給される。つぎに、使用者はスキャナボタン７を押して、測定者や患者のＩＤ情報、さらには血糖値センサ２を収納するボトルケース２２（図７に示す）のＩＤ情報を、たとえばバーコードを介してスキャナ部５で読み込む。
【００２１】
その後、血糖値センサ２の接続端子３を、センサ装着部４に装着し、その状態で、血糖値センサ２の一端側に設けた点着部２９ａ（図２に示す）に血液を点着すれば、測定部１８で血糖値が測定され、表示部６に表示されるようになっている。
【００２２】
以上の構成において、以下、本実施の形態における生体試料測定装置の特徴点について、図５から図７を用いて説明する。
【００２３】
まず、本実施の形態における生体試料測定装置の搬送時の状態を、図５を用いて説明する。
【００２４】
図５に示すように、本実施の形態における生体試料測定装置の搬送時においては、まず、生産工場で、測定器１が容器１０の収納室１２に格納され、保持器９が容器１０の収納室１３に格納される。その後、この容器１０に一体化された状態で梱包されて、搬送先（たとえば病院、個人宅）に搬送されることとなる。
【００２５】
この時、収納室１２下部に設けた凹部１４は、弾性のある樹脂（たとえばポリプロピレン）で形成しているため、搬送時における測定器１への振動を効果的に抑制できるものとなっている。
【００２６】
また、収納室１３の底部と、収納室１２の凹部１４の底部とは、ほぼ同一面上に形成していため、搬送時には、これら両底部が箱２１の底部に当接する。さらに、箱２１の上部では、容器１０の上部外周全体に設けた折曲部１７が箱２１に当接する。このため、箱２１内に容器１０をしっかりと保持した状態で搬送することができる。なお、図５においては、上面が開口した箱２１しか記載していないが、当然のこととして下面が開口した箱（図示せず）が箱２１の外周に上方から被せられ、これにより上下の箱２１で容器１０が覆われることとなっている。
【００２７】
つまり容器１０は、搬送時には、搬送用の搬送材として活用されるのである。
【００２８】
そして、容器１０が搬送先（たとえば病院、個人宅）に到着すると、まず、上方の箱（図示せず）が開けられ、次に、図５、図６に示すごとく、箱２１から容器１０が取り出される。その後、容器１０の収納室１３から保持器９が取り出され、この保持器９は測定器１の充電場所に設置される。
【００２９】
このように、収納室１３から保持器９が取り出される時には、図５から理解されるように２つの凹部１５、１６を利用し、使用者は測定器１の中央部側部を指で挟み、そのまま垂直に持ち上げることにより容易に測定器１を収納室１２から取り上げる事ができる。そして、測定器１を保持器９に、図１のごとく保持させて充電を行うことになる。
【００３０】
さて次に、本実施の形態における測定器１の実使用時の状態を図６、図７を用いて説明する。
【００３１】
測定器１を使用する時には、図１に示すように、保持器９に保持された測定器１を、再び指でその中央部側部を挟み、保持器９から取り上げて容器１０まで運ぶ。つぎに、図６に示すごとく、容器１０の上方で、表示部６を上にした測定器１の長手方向の軸を凹部１５、凹部１６に合致させ、その後、スキャナ部５が収納室１３に入り、センサ装着部４が収納室１２の外に出るようにして、容器１０に下ろせば、測定器１は、測定器１を保持する凹部１５と凹部１６上に合致した状態で置かれて保持される。
【００３２】
なお、凹部１５の長さは、他端側（スキャナ部５側）の測定器１の形状に合わせて形成している。また、凹部１６の長さは、長手方向の中央部から一端側（センサ装着部４側）にかけて、その幅を徐々に小さくした測定器１の形状に合わせて、凹部１５の長さよりも短く形成している。
【００３３】
このため、測定器１を収納室１２の上部でしっかりと保持することができる。この時、凹部１６の長さを凹部１５の長さよりも短くしているために、測定器１が容器１０の外にズレ落ちることなどはない。
【００３４】
その結果として、容器１０は、測定器１のセンサ装着部４が収納室１２外に表出した状態で、この測定器１を保持する保持容器として活用できるのである。
【００３５】
さらに、この状態においては、測定器１は、収納室１２の上部で凹部１５と凹部１６により保持されているので、図７に示すごとく、測定器１上面のスキャナボタン７を押すことができる。そのため、収納室１３にボトルケース（医療活用備品の一例）２２を入れたまま、そのＩＤ情報を、バーコードを介してスキャナ部５で読み込むことができ、利便性の高いものとなる。
【００３６】
さらにまた、この状態においては、測定器１は、収納室１２の上部で凹部１５と凹部１６により保持されているので、この高い位置を利用して、血糖値センサ２をセンサ装着部４に容易に装着することができるものとなる。これにより、非常に利便性の高いものとなる。
【００３７】
その後、血糖値を測定するために測定器１を再び取り上げる時には、取り上げるための指を、搬送時に測定器１が収納されていた収納室１２の空間、および、その下方に形成された凹部１４の奥深くまで差し込むことが出来る。このため、測定器１の側面をしっかりと把持することができるものとなり、これにより、忙しい病院業務の際にも、測定器１を取り扱い易いものとしている。
【００３８】
その結果として、容器１０は利便性の高いものとなる。
【００３９】
また、収納室１３には、図６に示すごとく、測定時に使用する他の物品、たとえば血糖値センサ２（図示せず）を収納したボトルケース２２、穿刺器具２３、ガーゼ（図示せず）、穿刺針（図示せず）などの医療活用備品を格納することができる。
【００４０】
このため、測定器１による血糖値の測定が終了すると、測定器１を収納室１２上部の凹部１５と凹部１６によって保持させ、測定時に使用する他の物品を収納室１３に収納し、この状態で容器１０の折曲部１７を持ち、次の測定場所へと持ち運ぶことができる。
【００４１】
つまり容器１０は、測定器１を測定に必要な様々な物品とともに、次の測定場所にまで持ち運ぶ搬送容器として活用されるのである。
【００４２】
その結果として、測定器１の搬送時に用いた梱包用の容器１０を、測定器１の使用時には保持容器かつ搬送容器として有効に活用することができるものとなり、きわめて利便性の高いものとなるのである。
【００４３】
以上のように本実施の形態に係る生体試料測定装置は、上面に開口部を有すると共に、内部と前記開口部が仕切り壁１１ａによって左右の収納室１２、１３に分離された容器１０と、この容器１０の収納室１２に収納された測定器１と、この容器１０の前記収納室１３に収納された前記測定器保持用の保持器９とを備えている。
【００４４】
また、前記仕切り壁１１ａの上面に、前記測定器１を保持する凹部１５を形成すると共に、この凹部１５に対向する前記容器１０の外周壁上面に前記測定器１を保持する凹部１６を形成した構成としたものであるので、きわめて利便性の高いものとなる。
【００４５】
すなわち、本実施の形態に係る生体試料測定装置においては、測定器１の搬送時には、生産工場において、仕切り壁１１ａによって分離された収納室１２、１３を有する容器１０に、測定器１および保持器９がそれぞれ格納され、この容器１０に一体化された状態で、搬送先（たとえば病院、個人宅）に搬送され、使用場所への搬送時には、この容器１０を測定器１の搬送容器として活用することができ、利便性の高いものとなる。
【００４６】
また、この容器１０の収納室１３は、他の医療活用備品の収納部としても活用することができ、この点からも利便性の高いものとなる。
【００４７】
さらに、測定器１の実使用時においては、使用者は、測定器１を収納室１２から取り上げた後、測定器１を保持する保持手段を構成する凹部１５と凹部１６の上に、センサ装着部４を収納室１２外に表出させた状態で保持させることができ、この使用時にも極めて利便性の高いものとなる。
【００４８】
（実施の形態２）
次に本発明の実施の形態２に係る生体試料測定装置について説明する。
【００４９】
図８において、血糖値の測定器２４（生体試料測定器の一例）の先端側には、図９に示すごとく、血糖値センサ２５（生体試料検出センサの一例）の接続端子２６を挿入するセンサ装着部２７が設けられている。また、測定器２４の上面には、表示部２８が設けられている。
【００５０】
すなわち、図９に示すごとく、血糖値センサ２５の後方に設けた接続端子２６を、センサ装着部２７に装着し、その状態で、血糖値センサ２５の前方に設けた点着部２９ｂに血液を点着すれば、測定部（図示せず）で血糖値が測定され、表示部２８に表示されるようになっている。
【００５１】
図８にもどって、測定器２４を保持する保持器３０は、測定器２４を使用しない時に、この測定器２４を保持し、充電などを行う構成となっている。
【００５２】
図１０は、測定器２４と保持器３０を格納する容器３１を示す図である。
【００５３】
この容器３１の中央部から一方側（図１０の下側）には、測定器２４を格納する収納室（第１の収納室）３２を設けている。この収納室３２は、上面が長方形状に開口した容器状としており、その内部には直方体形状の空間を設けている。また、前記収納室３２の中央底部は、下方に向けて突出させ、直方体形状の凹部３３を形成している。
【００５４】
さらに、本実施の形態においては、この凹部３３の後方側（図１０の左側）の側面下方に、測定器２４を傾斜状態（図１３に示す）で保持する保持手段を構成する保持部３４を設けている。この保持部３４は、凹部３３の下辺よりも上辺が外方側となる傾斜形状となっている。
【００５５】
なお、長方形状の開口部を有する収納室３２の左右の長辺中央上部には、測定器２４を取り出すための取り出し凹部３５がそれぞれ設けられている。
【００５６】
さて、容器３１の中央部から他方側（図１０の上側）にかけては、保持器３０を格納する収納室（第２の収納室）３６を設けている。この収納室３６は、収納室３２と同様に、上面が長方形状に開口した容器状としており、容器内部には直方体形状の空間を設けている。なお、容器３１の内部と上面の開口部は、仕切り壁１１ｂによって左右の収納室３２、収納室３６とに分離されている。
【００５７】
さらに、収納室３６の底部は平面状としており、この収納室３６の底部と、収納室３２の凹部３３の底部とを、ほぼ同一面上に形成している。
【００５８】
また、本実施の形態においては、容器３１を、弾性のある樹脂（たとえばポリプロピレン）で形成している。さらに、図１０、図１１、図１２に示すごとく、容器３１の上面では、その全周に渡って、端部を下方に向けて折り曲げた折曲部３７を設けており、これにより容器３１の外周強度を高めている。したがって、この折曲部３７を持って容器３１を持ち運ぶことができる。
【００５９】
以上の構成において、以下、本実施の形態における生体試料測定装置の特徴点について、図１１から図１３を用いて説明する。
【００６０】
図１１は、本実施の形態における搬送時の状態を示す図で、この図１１に示すごとく、生産工場で、容器３１の収納室３２には測定器２４が格納され、容器３１の収納室３６には保持器３０が格納される。その後、この容器３１に一体化された状態で、箱３８に収納されて梱包され、搬送先（たとえば病院、個人宅）に搬送されることとなる。
【００６１】
この時に、収納室３２下部に設けた凹部３３は、上述したごとく、弾性のある樹脂（たとえばポリプロピレン）で形成している。このため、搬送時における測定器２４への振動を効果的に抑制できるものとなっている。
【００６２】
図１２は、容器３１を下面側から見た図である。この図１２において、上述したごとく、収納室３６の底部と、収納室３２の凹部３３の底部とは、ほぼ同一面上に形成している。このため、搬送時には、これら両底部が図１１の箱３８の底部に当接する。また、箱３８の上部では、容器３１の上部外周全体に設けた折曲部３７が箱３８に当接する。したがって、箱３８内に容器３１をしっかりと保持した状態で搬送することができる。
【００６３】
なお、図１１においては、上面が開口した箱３８しか記載していないが、当然のこととして下面が開口した箱（図示せず）が箱３８の外周に上方から被せられ、これにより上下の箱３８で容器３１が覆われることとなっている。
【００６４】
つまり容器３１は、搬送時には、搬送用の搬送材として活用される。
【００６５】
そして、容器３１が搬送先（たとえば病院、個人宅）に到着すると、まず、箱３８から容器３１が取り出され、つぎに、容器３１から保持器３０が取り出され、たとえば適切な充電場所に設置される。その後、容器３１から測定器２４が取り出され、図８のごとく、測定器２４を保持器３０に、保持させて充電を行うことになる。
【００６６】
そして、充電が完了した測定器２４は、図１３のごとく、収納室３２に設置される。つまり、図１３は、本実施の形態における測定器２４の実使用時の状態を示す図である。
【００６７】
この時、容器３１は、測定器２４を傾斜状態で収納室３２に保持する保持容器として活用できる。具体的には、表示部２８を上にした測定器２４の後端面を収納室３２の上面開口から進入させ、図１３に示すごとく、収納室３２の凹部３３の側面に設けた保持部３４の傾斜面に、測定器２４の後端面を当接させる。すると測定器２４は、その後端面が保持部３４の傾斜面で保持され、その下部中央が凹部３３の傾斜面に対向する上辺３２ａ（図１０に示す）で保持され、これにより測定器２４は、図１３のごとく、収納室３２内において、傾斜状態で安定して保持される。この時、測定器２４のセンサ装着部２７は、収納室３２外に表出させられた状態となっている。
【００６８】
この状態においては、測定器２４は、この図１３に示すごとく、その血糖値センサ２５（図９に示す）のセンサ装着部２７が上方を向くことになり、血糖値センサ２５をセンサ装着部２７へと容易に装着することができる。これにより、非常に利便性の高いものとなる。
【００６９】
つまり容器３１は、測定器２４の実使用時には、測定器２４の保持容器として活用されるのである。
【００７０】
また、この時、収納室３６には、測定時に使用する他の物品、たとえば穿刺器具３９、血糖値センサ２５（図示せず）を収納したボトルケース４０、ガーゼ（図示せず）、穿刺針（図示せず）などを格納することができる。
【００７１】
そして、測定器２４による血糖値の測定が終了すると、測定器２４を収納室３２に水平に格納し（図１１に示す）、この状態で容器３１の折曲部３７を持ち、次の測定場所へと持ち運ぶことができる。
【００７２】
つまり容器３１は、測定器２４を測定に必要な様々な物品とともに測定場所にまで持ち運ぶ搬送容器として活用されるのである。
【００７３】
その結果として、測定器２４の搬送時に用いた梱包用の容器３１を、測定器２４の使用時には保持容器かつ搬送容器として有効に活用することができるものとなり、きわめて利便性の高いものとなる。
【００７４】
また、本実施の形態においては、保持手段を構成する保持部３４は、図１０に示すごとく、傾斜面で形成したが、この傾斜面に代えて、凹部３３の底面と平行な平面（この状態では、凹部３３の底面と保持部３４は階段状となっている）にて構成してもよい。この構成においては、容器３１は、収納室３２を、測定器２４を立設状態で保持する保持容器として活用できる。
【００７５】
具体的には、保持部３４の平面に、その上方から測定器２４の後端面を当接させるのである。すると測定器２４は、保持部３４の立設状態で保持されることとなる。
【００７６】
この保持の状態においても、血糖値センサ２５のセンサ装着部２７が上方を向くことになり、血糖値センサ２５をセンサ装着部２７へと容易に装着することができる。これにより、非常に利便性の高いものとなる。
【００７７】
さらに本実施の形態においては、図１２に示すごとく、凹部３３の保持部３４は、凹部３３の底部よりも上方に設けている。このため、図１３に示すごとく、測定器２４を収納室３２の凹部３３に差し込み、測定器２４の後端面を保持部３４に当接させる時においても、測定器２４の後端面は、凹部３３の底部、つまり容器３１の接地面に衝突することなどはなく、精密機械である測定器２４を保護することができるものとなる。
【００７８】
以上のように本実施の形態は、測定器２４と、この測定器２４を保持する保持器３０と、前記生体試料測定器用の収納室３２、３６を有する容器３１とを備えている。また、容器３１の収納室３２には、測定器２４を傾斜状態または立設状態で保持する保持手段を構成する保持部３４を形成した構成としたものであるので、きわめて利便性の高いものとなる。
【００７９】
すなわち、本実施の形態においては、測定器２４の搬送時において、まず生産工場において、容器３１の収納室３２に測定器２４が格納され、容器３１の収納室３６に保持器３０が格納され、この容器３１に一体化された状態で梱包されて、搬送先（たとえば病院、個人宅）に搬送される。つまり、容器３１は搬送用の搬送物として活用される。
【００８０】
一方、測定器２４の実使用時（測定時）において、容器３１の収納室３２には、この収納室３２内に設けた保持部３４により、測定器２４を、センサ装着部２７を収納室３２外に表出させた状態で、傾斜状態または立設状態にて保持することができる。つまり、容器３１は測定器２４の保持容器として活用できる。
【００８１】
その結果として、搬送時に用いる搬送物を、測定器２４の使用時には保持容器として有効に活用することができ、きわめて利便性の高いものとなる。
【００８２】
（実施の形態３）
図１４は、本発明の実施の形態３に係る生体試料測定装置における容器４１を下方から見た斜視図となっている。
【００８３】
この容器４１は、実施の形態１の容器１０に、この容器１０の収納室１２の底部外表面から下方に向かって突出させた、回転軸部４２を設けたものである。
【００８４】
この回転軸部４２は、直方形状のゴム（弾性体の一例）で形成しており、この直方形状のゴムを、収納室１２の中央底部の外表面に両面テープで接着して形成している（ゴムの底面側には、両面テープなどは存在しておらず、ゴム表面が露出している）。
【００８５】
さらに、容器４１の収納室１３の底部には、この容器４１の収納室１３の底部を下方に向かって一体的に押し出して突出させた支持部４３（第１の支持部）、支持部４４（第２の支持部）を形成している。
【００８６】
なお、回転軸部４２、支持部４３、支持部４４の下方への突出高さは、ほぼ同じ高さとし、また、回転軸部４２、支持部４３、支持部４４は、この図１４からも理解されるように、回転軸部４２を頂点とした二等辺三角形を形成するように配置している。これにより、容器４１を安定的に保持するものとなっている。
【００８７】
このため、たとえば、測定者は、図１５に示すごとく、測定器１を容器４１の収納室１２上部の保持手段を構成する凹部１５と凹部１６によって保持し、測定時に使用する他の物品（たとえばボトルケース２２）を収納室１３に収納した状態で、容器４１をワゴン（図示せず）上に乗せて、次の測定場所へと持ち運ぶことができる。
【００８８】
すなわち容器４１は、実施の形態１における容器１０と同様に、図１５に示すごとく、測定器１のセンサ装着部４が収納室１２外に表出した状態で、この測定器１を保持する保持容器として、実使用時に活用できるのである。
【００８９】
この時、本実施の形態における容器４１は、上述したごとく、収納室１２の底部外表面に、回転軸部４２を設け、この回転軸部４２を軸にして、容器４１を水平方向に回動自在としている。より具体的には、容器４１の回転軸部４２を形成するゴムが、容器１０を乗せたワゴンの上面にしっかりと当接して容器４１の回動軸を形成する。そして、この回動軸である回転軸部４２を中心にして、樹脂で形成した支持部４３、支持部４４がワゴンの上面を滑ることにより、容器４１を回動させることとなる。つまり、回転軸部４２は、上述のごとく、ゴム面が露出しているので摩擦抵抗が大きく、逆に、支持部４３、支持部４４は、容器１０とともに樹脂で一体成形されたものであるので摩擦抵抗が小さく、よって、この回転軸部４２を回動軸中心として、樹脂で形成した支持部４３、支持部４４はワゴンの上面を滑ることとなり、これにより、容器４１を簡単に回動させることができるのである。
【００９０】
また、このように容器４１を回動させる時には、上述のごとく、測定器１のセンサ装着部４が収納室１２外に表出した状態で、この測定器１を容器４１の収納室１２上部の凹部１５と凹部１６によって保持しているので、この測定器１の重量が収納室１２の下方に設けた回転軸部４２にかかることで、回転中心が安定し、この結果としても容器４１を簡単に回動させることができる。
【００９１】
つまり、測定者が、たとえばこの図１５に示すごとく、自分の側に測定器１のセンサ装着部４を向けた状態から、収納室１３に右手の指を差し込み、この右手の指で収納室１３の内壁面を押して時計方向に回動させると、容器４１は、回転軸部４２を軸にして支持部４３、支持部４４が、接地面を滑って、容器４１は水平方向に簡単に回動する。
【００９２】
したがって、測定者は、自分と反対側の収納室１３内にあるボトルケース２２を、自分の側に簡単に持ってくることができ、このボトルケース２２を容易に取り出すことが出来る。
【００９３】
その結果として、たとえば、忙しい病院業務などでは、極めて利便性の高いものとなる。
【００９４】
またこの時、本実施の形態においては、回転軸部４２を黒色系のゴム（弾性体の一例）で形成し、支持部４３、支持部４４を、透明もしくは半透明の樹脂（たとえばポリプロピレン）で形成している。このように、回転軸部４２と、支持部４３、支持部４４の色を異ならせているので、測定者は、明示的に回転軸部４２が回転軸であると認識することが出来る。
【００９５】
さらに、上述したごとく、回転軸部４２、支持部４３、支持部４４は、回転軸部４２を頂点とした二等辺三角形を形成するように配置したものであるので、容器４１を安定的に支持した状態で回動させることができる。
【００９６】
またこの時、回転軸部４２は、重量のある測定器１を保持した収納室１２の底部に設けている。このため、測定器１の重量を、この測定器１の直下に設けた回転軸部４２で支えることとなり、この測定器１の重量で回転軸部４２をワゴンの上面にしっかりと当接させることとなる。したがって、この回転軸部４２を回転軸として、容器４１を水平方向に安定して回動させることができる。
【００９７】
その結果として、搬送時に用いる搬送物を、測定器１の使用時には保持容器として有効に活用することができ、きわめて利便性の高いものとなる。
【００９８】
以上のように本発明は、上面に開口部を有すると共に、内部と開口部が仕切り壁によって左右の第１、第２の収納室に分離された容器と、この容器の第１の収納室に収納された生体試料測定器と、この容器の第２の収納室に収納された前記生体試料測定器保持用の保持器とを備えている。さらに、前記第１の収納室を構成する外周壁またはこの第１の収納室内に、前記生体試料測定器を、この生体試料測定器のセンサ装着部を第１の収納室外に表出させた状態で保持する保持手段を設ける。また、第１の収納室の底部には、この第１の収納室の底部から下方に向かって突出させた回転軸部を設けた構成としたものであるので、きわめて利便性の高いものとなる。
【００９９】
すなわち、本発明においては、生体試料測定器の搬送時には、生産工場において、仕切り壁によって分離された第１、第２の収納室を有する容器に、生体試料測定器および保持器がそれぞれ格納され、この容器に一体化された状態で、搬送先（たとえば病院、個人宅）に搬送される。使用場所への搬送時には、この容器を生体試料測定器の搬送容器として活用することができ、利便性の高いものとなる。
【０１００】
また、この容器の第２の収納室は、他の医療活用備品の収納部としても活用することができ、この点からも利便性の高いものとなる。すなわち、実使用時においては、容器の第２の収納室から保持器を取り出した状態となっているので、この実使用時において、この容器の第２の収納室を、他の医療活用備品の収納部としても活用することができ、この点からも利便性の高いものとなる。
【０１０１】
さらに、その使用場所においては、使用者は、生体試料測定器を第１の収納室から取り上げた後、生体試料測定器を、そのセンサ装着部を第１の収納室外に表出させた状態で保持する保持手段を設けたものであるので、この容器を生体試料測定器の実施用設置部として活用でき、この実使用時においても極めて利便性の高いものとなる。
【０１０２】
さらにまた、本発明においては、第１の収納室の底部に、この第１の収納室の底部から下方に向かって突出させた回転軸部を設けた構成としたものである。保持手段によって生体試料測定器のセンサ装着部を第１の収納室外に表出させた状態で保持した状態において、容器を使用者の作業が行いやすい状態に簡単に回動配置することができ、この点からも極めて利便性の高いものとなる。
【０１０３】
この点を今少し具体的に説明すると、容器を構成する第１の収納室の底部に、この第１の収納室の底部から下方に向かって突出させた回転軸部を設けたので、使用者が、作業がしやすい方向に容器を回動させる場合、この回転軸部を中心に容器を簡単に回動させることができる。これにより、作業者の作業性が極めて高くなり、この点で利便性が高いものとなるのである。
【産業上の利用可能性】
【０１０４】
本発明は、生産時における梱包時、梱包後の搬送先までの搬送時、搬送先での開梱後の実使用までの搬送時、実使用時、および実使用後の搬送時などにおいて極めて利便性の高い生体試料測定器を提供することができる。
【符号の説明】
【０１０５】
１，２４    測定器（生体試料測定器の一例）
２，２５    血糖値センサ（生体試料検出センサの一例）
３，２６    接続端子
４，２７    センサ装着部
５    スキャナ部（光学式情報読み取り部の一例）
６，２８    表示部
７    スキャナボタン
８    電源ボタン
９，３０    保持器
９ａ    保持部
９ｂ    ストッパ
１０，３１，４１    容器
１１ａ，１１ｂ    仕切り壁
１２，１３，３２，３６    収納室
１４，３３    凹部
１５，１６，３５    凹部
１７，３７    折曲部
１８    測定部
１９    制御部
２０    電源
２１，３８    箱
２２，４０    ボトルケース
２３，３９    穿刺器具
２９ａ，２９ｂ    点着部
３４    保持部
４２    回転軸部
４３，４４    支持部
【図１】
2012120829.tif 000003
【図２】
2012120829.tif 000004
【図３】
2012120829.tif 000005
【図４】
2012120829.tif 000006
【図５】
2012120829.tif 000007
【図６】
2012120829.tif 000008
【図７】
2012120829.tif 000009
【図８】
2012120829.tif 000010
【図９】
2012120829.tif 000011
【図１０】
2012120829.tif 000012
【図１１】
2012120829.tif 000013
【図１２】
2012120829.tif 000014
【図１３】
2012120829.tif 000015
【図１４】
2012120829.tif 000016
【図１５】
2012120829.tif 000017
【国際調査報告】
2012120829.tif 000018
2012120829.tif 000019